Podtech/llm-jp-corpus-v4-ja_patent huggingface dataset:
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
被検者にＸ線を照射するＸ線源と、
前記Ｘ線源と対向配置され、二次元配列された複数のＸ線検出素子からなり、それらのＸ線検出素子により前記被検者の透過Ｘ線を電気信号に変換し、その電気信号を読み出すことにより前記透過Ｘ線の信号を検出するＸ線検出器と、
このＸ線検出器により検出された透過Ｘ線信号をＸ線像として表示する画像表示部と、
を備えたＸ線診断装置において、
前記Ｘ線源、前記Ｘ線検出器のうち少なくとも前記Ｘ線源の位置情報を算出し、この算出された位置情報と読み出すＸ線検出素子を対応づけ、その対応づけられたＸ線検出素子から電気信号を読み出すことによりそれらのＸ線検出素子の透過Ｘ線信号を前記Ｘ線検出器に検出させ、その検出された透過Ｘ線信号をＸ線像として前記画像表示部に表示させる制御手段を備えたことを特徴とするＸ線診断装置。
【請求項２】
前記制御手段は、前記Ｘ線源の複数の位置情報をそれぞれ算出し、それぞれ算出された位置情報と読み出すＸ線検出領域を対応づけ、その対応づけられたＸ線検出領域から電気信号を読み出すことによりそれぞれのＸ線検出領域の透過Ｘ線信号を前記Ｘ線検出器に検出させることを特徴とする請求項１に記載のＸ線診断装置。
【請求項３】
請求項１〜２の何れか１項に記載のＸ線診断装置は、さらに  
前記Ｘ線源のＸ線照射側に配置され前記被検者に照射されるＸ線を遮蔽するＸ線絞りを備え、  
前記制御手段は、前記Ｘ線検出器を構成するＸ線検出素子のうちの読み出し不要なＸ線検出素子に入射されるＸ線を遮蔽するように前記Ｘ線絞りを挿入させることを含む。
【請求項４】
請求項１〜３の何れか１項に記載のＸ線診断装置は、さらに、  
前記Ｘ線源のＸ線照射側に配置され前記被検者に照射されるＸ線を減弱するＸ線補償フィルタと、  
前記Ｘ線検出器により検出された透過Ｘ線信号からハレーション信号が生じているＸ線検出素子の位置を検出するハレーション信号検出手段と、を備え、  
前記制御手段は、前記Ｘ線検出器を構成するＸ線検出素子のうち、前記ハレーション信号検出手段により検出されたハレーション信号が生じているＸ線検出素子に入射されるＸ線を減弱するように前記Ｘ線補償フィルタを挿入させることを含む。
【請求項５】
請求項１〜４の何れか１項に記載のＸ線診断装置は、さらに  
前記Ｘ線源を一端に、前記Ｘ線検出器を他端に支持する支持器と、  
この支持器を支持する床上に立設される支柱と、  
前記支持器によって支持される前記Ｘ線源と前記Ｘ線検出器との間に前記被検者を配置する寝台と、  
前記支持器と前記寝台とを駆動させて前記被検者のＸ線像を得る位置へ移動する駆動手段と、を備え、  
前記制御部は、前記支持器と前記寝台にそれぞれ位置検出器を備え、それらの位置検出器から検出される位置に基づき前記Ｘ線源、前記Ｘ線検出器のうち少なくとも前記Ｘ線源の位置情報を算出することを含む。
【請求項６】
請求項１〜４の何れか１項に記載のＸ線診断装置は、さらに  
前記Ｘ線源を一端に、前記Ｘ線検出器を他端に支持する支持器と、  
この支持器を支持する機能を有し、天井から床方向へ自在に伸ばせるテレスコピック支持部と、  
前記支持器によって支持される前記Ｘ線源と前記Ｘ線検出器との間に前記被検者を配置する寝台と、  
前記支持器と前記寝台とを駆動させて前記被検者のＸ線像を得る位置へ移動する駆動手段と、を備え、  
前記制御部は、前記支持器と前記寝台にそれぞれ位置検出器を備え、それらの位置検出器から検出される位置に基づき前記Ｘ線源、前記Ｘ線検出器のうち少なくとも前記Ｘ線源の位置情報を算出することを含む。
【請求項７】
請求項１〜４の何れか１項に記載のＸ線診断装置は、さらに  
前記Ｘ線源を一端に、前記Ｘ線検出器を他端に支持する支持器と、  
この支持器を支持する支柱が立設される移動台車と、  
この移動台車を前記被検者が寝ている寝台に位置まで移動した後、前記支持器を駆動させて前記被検者のＸ線像を得る位置へ移動する駆動手段と、を備え、  
前記制御部は、前記支持器に位置検出器を備え、それらの位置検出器から検出される位置に基づき前記Ｘ線源、前記Ｘ線検出器のうち少なくとも前記Ｘ線源の位置情報を算出することを含む。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
画像データを入力する入力手段と、
複数の撮影モードを切り替える撮影モード選択手段と、
予め設定された色情報に基づいて、前記画像データから所定色を表す画像データを検出する色検出手段と、
前記撮影モード選択手段により選択された撮影モードに応じて、前記色情報を変更するように前記色検出手段を制御する制御手段と
を有することを特徴とする画像処理装置。
【請求項２】
前記複数の撮影モードは、暗い環境下で強い光が当てられた被写体を撮影するための第１の撮影モードを含むことを特徴とする請求項１に記載の画像処理装置。
【請求項３】
前記第１の撮影モードが選択された場合に、前記所定色を検出するために予め設定された基準色情報が表す色または色範囲よりも、白色に近い色情報を含むように前記色情報を変更することを特徴とする請求項２に記載の画像処理装置。
【請求項４】
前記複数の撮影モードは、所定の明るさよりも明るい環境下で撮影するための第２の撮影モードを含むことを特徴とする請求項１乃至３のいずれか１項に記載の画像処理装置。
【請求項５】
前記第２の撮影モードが選択された場合に、前記所定色を検出するために予め設定された基準色情報が表す色または色範囲よりも、黒色に近い色情報を含むように前記色情報を変更することを特徴とする請求項４に記載の画像処理装置。
【請求項６】
画像を符号化するための複数の符号化モードを切り替える符号化モード選択手段を更に有し、
前記制御手段は、更に、前記符号化モード選択手段により選択された符号化モードに応じて前記色情報を変更するように前記色検出手段を制御することを特徴とする請求項１乃至５のいずれか１項に記載の画像処理装置。
【請求項７】
前記複数の符号化モードは、静止画符号化モードと動画符号化モードとを含み、
前記制御手段は、前記静止画符号化モードが選択された場合に前記色情報を変更せず、前記動画符号化モードが選択された場合に前記色情報を変更するように前記色検出手段を制御することを特徴とする請求項６に記載の画像処理装置。
【請求項８】
前記色情報は肌色を示す色情報であって、前記色検出手段は肌色を検出することを特徴とする請求項１乃至７のいずれか１項に記載の画像処理装置。
【請求項９】
前記色検出手段により検出された所定色を表す画像データを第１の符号化率で符号化し、それ以外の画像データを前記第１の符号化率よりも高い第２の符号化率で符号化する符号化手段を更に有することを特徴とする請求項１乃至８のいずれか１項に記載の画像処理装置。
【請求項１０】
画像データを入力する入力工程と、
複数の撮影モードを切り替える撮影モード選択工程と、
前記撮影モード選択工程で選択された撮影モードに応じて、所定色を検出するための色情報を変更する変更工程と、
予め設定された色情報または前記変更工程で変更された色情報に基づいて、前記画像データから前記所定色を表す画像データを検出する色検出工程と
を有することを特徴とする画像処理方法。
【請求項１１】
コンピュータに請求項１０に記載の画像処理方法の各工程を実行させるためのプログラム。
【請求項１２】
請求項１１に記載のプログラムを格納したことを特徴とするコンピュータが読み取り可能な記憶媒体。
【手続補正２】
【補正対象書類名】明細書
【補正対象項目名】００１４
【補正方法】変更
【補正の内容】
【００１４】
上記目的を達成するために、本発明の画像処理装置は、画像データを入力する入力手段と、複数の撮影モードを切り替える撮影モード選択手段と、予め設定された色情報に基づいて、前記画像データから所定色を表す画像データを検出する色検出手段と、前記撮影モード選択手段により選択された撮影モードに応じて、前記色情報を変更するように前記色検出手段を制御する制御手段とを有する。
【手続補正３】
【補正対象書類名】明細書
【補正対象項目名】００１５
【補正方法】変更
【補正の内容】
【００１５】
また、本発明の画像処理方法は、画像データを入力する入力工程と、複数の撮影モードを切り替える撮影モード選択工程と、前記撮影モード選択工程で選択された撮影モードに応じて、所定色を検出するための色情報を変更する変更工程と、予め設定された色情報または前記変更工程で変更された色情報に基づいて、前記画像データから前記所定色を表す画像データを検出する色検出工程とを有する。
【手続補正書】
【提出日】平成18年11月13日(2006.11.13)
【手続補正１】
【補正対象書類名】明細書
【補正対象項目名】０００１
【補正方法】変更
【補正の内容】
【０００１】  本発明は、マイクロ波の偏波制御に関するものであり、送信偏波角と受信偏波角を独立して制御できるように、アンテナ給電回路を工夫したものである。
【手続補正２】
【補正対象書類名】明細書
【補正対象項目名】０００２
【補正方法】変更
【補正の内容】
【０００２】  従来のアンテナ給電回路のブロック図を図３に示すが、送信電波を任意の偏波角にて送信するために必要な分配合成回路と、偏波角が時間的に変化する受信偏波の垂直偏波成分と水平偏波成分を一つの端子にて合成し、その合成波の振幅を時間的に一定とするために必要な分配合成回路との両者を有するものであり、送信電波と受信電波の偏波角の同時変化に対応するためには、回路は２系統が必要となる。また、送信電波と受信電波の分岐点に送信フィルタ、受信フィルタが必要であるため、回路は複雑化、大型化するという問題点があった。
図４は従来の分配合成回路の作用を説明するブロック図であり、振幅Ｅなる送信電波をハイブリッド（１Ｋ）の端子ＡＰ１に入力したとき、ハイブリッド（１Ｋ）の端子ＢＰ１とハイブリッド（２Ｋ）の端子ＥＰ３との間に可変移相器Ｓを挿入するものであって、ハイブリッド（２Ｋ）の端子ＦＰ３の分配出力ＥＴＶと、ＦＱ３の分配出力ＥＴＨとの比は可変移相器Ｓの移相の正接に比例する。また、送信偏波のベクトル絶対値√（（ＥＴＶ）２＋（ＥＴＨ）２）は一定値Ｅを維持する。すなわち、図４の分配合成回路の端子ＦＰ３をアンテナの垂直偏波端子に接続し、端子ＦＱ３をアンテナの水平偏波端子に接続すれば偏波角が可変移相器Ｓの移相量に比例して変化する送信偏波を発生することができる。
図５は従来の分配合成回路に関する作用の説明図である。振幅ＥＲＶなる受信波成分１をハイブリッド（２Ｋ）の端子ＦＰ３に入力し、振幅ＥＲＨなる受信波成分２をハイブリッドの端子ＦＱ３に入力する場合において、受信波成分１と受信波成分２の位相が変化しても、端子ＡＱ１に出力する受信合成波の振幅が一定となるように可変移相器Ｓの移相量を調整するものである。但し、受信波成分１と受信波成分２との関係は√（（ＥＲＶ）２＋（ＥＲＨ）２）は一定となる条件を満たすものとする。
従来の分配合成回路では、送信用に移相量を調整すると受信用に対する移相量が不適切な値となってしまうため、送信用と分離して受信用の回路を設け、２系統としていた。
【手続補正３】
【補正対象書類名】図面
【補正対象項目名】全図
【補正方法】変更
【補正の内容】
【図１】
2005218071.tif 000001
【図２】
2005218071.tif 000002
【図３】
2005218071.tif 000003
【図４】
2005218071.tif 000004
【図５】
2005218071.tif 000005
【図６】
2005218071.tif 000006
【図７】
2005218071.tif 000007
【手続補正書】
【提出日】平成19年1月31日(2007.1.31)
【手続補正１】
【補正対象書類名】特許請求の範囲
【補正対象項目名】請求項１
【補正方法】変更
【補正の内容】
【請求項１】
会員登録を行った会員遊技者を個々に特定できる会員遊技者特定情報が記録された記録媒体を受け付けて、該記録媒体の記録情報を読み取る記録媒体読取手段と、
該記録媒体読取手段により読み取られた記録情報に基づいた処理を行う記録媒体処理手段と、
を備える遊技用装置と、
該遊技用装置と通信でき、前記会員遊技者特定情報と対応付けて前記会員遊技者に関する会員属性情報を記憶する会員属性情報記憶手段を備える管理装置と、
からなる遊技用システムであって、
前記遊技用装置は、
前記記録媒体読取手段により読み取った会員遊技者特定情報を前記管理装置に対して送信する会員遊技者特定情報送信手段と、
前記記録媒体読取手段により受け付けている記録媒体の返却に伴って、該記録媒体の返却を示す返却通知を前記管理装置に対して送信する返却通知送信手段と、をさらに備え、
前記管理装置は、
前記会員遊技者特定情報送信手段より送信されてくる会員遊技者特定情報の受信から前記返却通知送信手段より送信されてくる返却通知の受信までの間、前記受信した会員遊技者特定情報と該会員遊技者特定情報の送信元である遊技用装置を個々に特定できる遊技用装置特定情報とを対応付けて記憶する読取情報記憶手段と、
前記会員属性情報を入力する入力手段と、
該入力手段に入力された会員属性情報と前記会員属性情報記憶手段に記憶されている情報に基づいて、前記入力された会員属性情報に対応する会員遊技者特定情報を特定する会員遊技者特定情報特定手段と、
該会員遊技者特定情報特定手段による特定に応じて、該特定された会員遊技者特定情報と、前記読取情報記憶手段に記憶されている会員遊技者特定情報とが一致するか否かを判定する判定手段と、
該判定手段により一致すると判定されたことを条件として、該一致すると判定された会員遊技者特定情報と対応付けて前記読取情報記憶手段に記憶されている遊技用装置特定情報を出力する出力手段と、
をさらに備えることを特徴とする遊技用システム。
【手続補正２】
【補正対象書類名】特許請求の範囲
【補正対象項目名】請求項２
【補正方法】変更
【補正の内容】
【請求項２】
請求項１に記載した遊技用システムであって、
前記管理装置は、前記会員遊技者特定情報特定手段により特定された会員遊技者特定情報を記憶する会員遊技者特定情報記憶手段をさらに備え、
前記判定手段は、前記会員遊技者特定情報送信手段から会員遊技者特定情報を受信したことに基づいて、該受信した会員遊技者特定情報と、前記会員遊技者特定情報記憶手段に記憶されている会員遊技者特定情報とが一致するか否かを判定し、
前記出力手段は、該判定手段により一致すると判定されたことを条件として、前記遊技用装置特定情報と、該一致すると判定された会員遊技者特定情報とを出力することを特徴とする遊技用システム。
【手続補正３】
【補正対象書類名】明細書
【補正対象項目名】０００６
【補正方法】変更
【補正の内容】
【０００６】
まず請求項１に係る発明は、会員登録を行った会員遊技者を個々に特定できる会員遊技者特定情報（会員ＩＤ）が記録された記録媒体（会員カード５）を受け付けて、該記録媒体の記録情報（会員ＩＤ，カード度数）を読み取る記録媒体読取手段（会員カードＲ／Ｗ２７，会員カードＲ／Ｗ３３，会員カードリーダ４３）と、該記録媒体読取手段により読み取られた記録情報に基づいた処理（カード玉貸処理，精算処理，貯玉景品交換処理）を行う記録媒体処理手段（ユニット制御部２２，制御部３２，制御部４２）と、を備える遊技用装置（カードユニット２０，精算装置３０，ＰＯＳ装置４０）と、該遊技用装置と通信でき、前記会員遊技者特定情報と対応付けて前記会員遊技者に関する会員属性情報（暗証番号，氏名，性別，生年月日，住所，電子メールアドレス）を記憶する会員属性情報記憶手段（ハードディスク５１の会員情報ＤＢ）を備える管理装置（５０）と、からなる遊技用システム（１）であって、前記遊技用装置は、前記記録媒体読取手段により読み取った会員遊技者特定情報を前記管理装置に対して送信する会員遊技者特定情報送信手段（管理装置用通信部２８，通信部３１，通信部４１）と、前記記録媒体読取手段により受け付けている記録媒体の返却に伴って、該記録媒体の返却を示す返却通知（返却完了通知）を前記管理装置に対して送信する返却通知送信手段（管理装置用通信部２８，通信部３１，通信部４１）と、をさらに備え、前記管理装置は、前記会員遊技者特定情報送信手段より送信されてくる会員遊技者特定情報の受信から前記返却通知送信手段より送信されてくる返却通知の受信までの間、前記受信した会員遊技者特定情報と該会員遊技者特定情報の送信元である遊技用装置を個々に特定できる遊技用装置特定情報とを対応付けて記憶する読取情報記憶手段（ハードディスク５１のカード受付ＤＢ）と、前記会員属性情報（氏名，暗証番号，生年月日，電子メールアドレス）を入力する入力手段（入力装置５３，ディスプレイ５４）と、該入力手段に入力された会員属性情報と前記会員属性情報記憶手段に記憶されている情報に基づいて、前記入力された会員属性情報に対応する会員遊技者特定情報を特定する会員遊技者特定情報特定手段（制御部５２）と、該会員遊技者特定情報特定手段による特定に応じて、該特定された会員遊技者特定情報と、前記読取情報記憶手段に記憶されている会員遊技者特定情報とが一致するか否かを判定する判定手段（制御部５２）と、該判定手段により一致すると判定されたことを条件として、該一致すると判定された会員遊技者特定情報と対応付けて前記読取情報記憶手段に記憶されている遊技用装置特定情報を出力する出力手段（ディスプレイ５４）と、をさらに備えることを特徴とする遊技用システムである。  
【手続補正４】
【補正対象書類名】明細書
【補正対象項目名】０００７
【補正方法】変更
【補正の内容】
【０００７】
また請求項２に係る発明は、請求項１に記載した遊技用システム（１）であって、前記管理装置（５０）は、前記会員遊技者特定情報特定手段（制御部５２）により特定された会員遊技者特定情報（会員ＩＤ）を記憶する会員遊技者特定情報記憶手段（ハードディスク５１）をさらに備え、前記判定手段（制御部５２）は、前記会員遊技者特定情報送信手段（管理装置用通信部２８，通信部３１，通信部４１）から会員遊技者特定情報を受信したことに基づいて、該受信した会員遊技者特定情報と、前記会員遊技者特定情報記憶手段に記憶されている会員遊技者特定情報とが一致するか否かを判定し、前記出力手段（ディスプレイ５４）は、該判定手段により一致すると判定されたことを条件として、前記遊技用装置特定情報（装置ＩＤ）と、該一致すると判定された会員遊技者特定情報とを出力することを特徴とする遊技用システムである。
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
熱可塑性の包装用シートを遊技機外周に被着させて熱収縮包装される遊技機であって、
遊技機外周を構成する外周部材に少なくとも一つのシート取外し防止用突起を設けたことを特徴とする遊技機。
【請求項２】
前記シート取外し防止用突起は、前記包装用シートによって覆われる前記外周部材の所定領域の外側に設けられたことを特徴とする請求項１に記載の遊技機。
【請求項３】
前記シート取外し防止用突起の突出高さは、前記所定領域内で最も突出した箇所よりも高く設定されたことを特徴とする請求項２に記載の遊技機。
【請求項４】
前記外周部材の所定領域には、遊技機の制御に関連する部分が含まれることを特徴とする請求項２又は３に記載の遊技機。
【請求項５】
前記シート取外し防止用突起は、前記包装用シートによって覆われる前記外周部材の所定領域内に設けられたことを特徴とする請求項１乃至４のいずれかに記載の遊技機。
【請求項６】
前記シート取外し防止用突起は、遊技機本体に対して着脱可能に設けられた突起部材によって構成され、
その突起部材は、前記遊技機本体が前記包装用シートによって包装された状態で取外し不能であることを特徴とする請求項１乃至５のいずれかに記載の遊技機。
【請求項７】
前記シート取外し防止用突起は、遊技機本体と一体的に形成されたことを特徴とする請求項１乃至５のいずれかに記載の遊技機。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を行うと共に、前記抽選手段の抽選結果が当選の場合には前記複数の絵柄を特定絵柄の組合せで停止するよう前記絵柄表示手段を表示制御する第１表示制御手段と、
前記抽選手段の抽選結果が当選の場合に、前記絵柄の全てが変動表示を終了したことを契機として前記特別遊技状態を発生させる特別遊技状態発生手段と
を備えた遊技機において、
前記絵柄の全てが停止する前までに前記絵柄表示手段上で満足することが可能な指定条件を教示する指定条件教示手段と、
前記抽選手段の抽選結果が当選の場合に、前記複数の絵柄の変動表示を開始させると共に前記指定条件を満足するよう前記絵柄表示手段を表示制御する第２表示制御手段と、
前記各表示制御手段のうち、前記絵柄表示手段を表示制御する表示制御手段を選択する表示制御選択手段と
を備え、
前記第２表示制御手段は、前記指定条件の成立を教示した直後に、変動表示中の絵柄の停止処理を開始することを特徴とする遊技機。
【請求項２】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて、前記複数の絵柄の変動表示を開始させ、予め設定された変動態様を行った後に変動表示を終了させるよう前記絵柄表示手段を表示制御する表示制御手段と
を備え、
前記抽選手段の抽選結果が当選であることと、前記複数の絵柄の停止後における表示結果が特定の表示結果であることとを対応づけて前記特別遊技状態を発生させる遊技機において、
前記絵柄の全てが変動表示を終了する前までに前記絵柄表示手段上で満足することが可能な指定条件を教示する指定条件教示手段と、
前記指定条件を教示するか否かを判定する条件教示判定手段と、
前記条件教示判定手段の判定結果に基づいて前記絵柄の変動開始から変動終了までに要する変動時間を決定する変動時間決定手段と
を備え、
前記表示制御手段は、
前記抽選手段の抽選結果が当選の場合は前記複数の絵柄が特定絵柄の組合せで停止するように、且つ前記抽選手段の抽選結果が非当選の場合は前記複数の絵柄が特定絵柄の組合せで停止しないように前記絵柄表示手段を表示制御する第１停止制御手段と、
前記抽選手段の抽選結果が当選の場合は前記絵柄表示手段が前記指定条件を満足するように、且つ前記抽選手段の抽選結果が非当選の場合は前記絵柄表示手段が前記指定条件を満足しないように表示制御する第２停止制御手段と、
前記条件教示判定手段の判定結果に応じて前記停止制御手段を切り替える切替手段と
を備え、
前記変動時間決定手段は、前記条件教示判定手段の判定結果が前記指定条件を教示する判定の場合に教示しない判定結果の場合と比して前記変動時間を短い時間とし、
前記第２停止制御手段は、前記指定条件の成立可否を教示した直後に、前記絵柄の変動表示を終了させるべく停止処理を開始することを特徴とする遊技機。
【請求項３】
前記変動時間決定手段は、前記指定条件を教示する場合に使用する非教示変動時間テーブルと、前記指定条件を教示しない場合に使用する教示変動時間テーブルとを有し、使用する前記変動時間テーブルを前記条件教示判定手段の判定結果に基づいて切り替えることを特徴とする請求項２記載の遊技機。
【請求項４】
前記指定条件教示手段は、前記指定条件を前記絵柄表示手段上にて教示することを特徴とする請求項１乃至３のいずれかに記載の遊技機。
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を行うと共に、前記抽選手段の抽選結果が当選の場合には前記複数の絵柄を特定絵柄の組合せで停止するよう前記絵柄表示手段を表示制御する第１表示制御手段と、
前記抽選手段の抽選結果が当選の場合に、前記絵柄の全てが変動表示を終了したことを契機として前記特別遊技状態を発生させる特別遊技状態発生手段と
を備えた遊技機において、
前記絵柄の全てが停止する前までに前記絵柄表示手段上で満足することが可能な指定条件を教示する指定条件教示手段と、
前記抽選手段の抽選結果が当選の場合に、前記複数の絵柄の変動表示を開始させると共に前記指定条件を満足するよう前記絵柄表示手段を表示制御する第２表示制御手段と、
前記各表示制御手段のうち、前記絵柄表示手段を表示制御する表示制御手段を選択する表示制御選択手段と
を備え、
前記第２表示制御手段は、前記特定絵柄の組合せで停止しないように前記絵柄表示手段を表示制御することを特徴とする遊技機。
【請求項２】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を行うと共に、前記抽選手段の抽選結果が当選の場合には前記複数の絵柄を特定絵柄の組合せで停止させ、前記抽選手段の抽選結果が非当選の場合には前記複数の絵柄を前記特定絵柄の組合せでない非特定絵柄の組合せで停止させるよう前記絵柄表示手段を表示制御する第１表示制御手段と、
前記抽選手段の抽選結果が当選の場合に、前記絵柄の全てが変動表示を終了したことを契機として前記特別遊技状態を発生させる特別遊技状態発生手段とを備えた遊技機において、
前記絵柄の全てが停止する前までに前記絵柄表示手段上で満足することが可能な指定条件を教示する指定条件教示手段と、
前記抽選手段の抽選結果が当選の場合に、前記複数の絵柄の変動表示を開始させると共に前記指定条件を満足するよう前記絵柄表示手段を表示制御する第２表示制御手段と、
前記各表示制御手段のうち、前記絵柄表示手段を表示制御する表示制御手段を選択する表示制御選択手段と
を備え、
前記第２表示制御手段は、前記非特定絵柄の組合せで停止するように前記絵柄表示手段を表示制御することを特徴とする遊技機。
【請求項３】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記複数の絵柄の変動表示を行うと共に、前記抽選手段の抽選結果が当選の場合には前記複数の絵柄を特定絵柄の組合せで停止するように、且つ前記抽選手段の抽選結果が非当選の場合には前記複数の絵柄を前記特定絵柄の組合せでない非特定絵柄の組合せで停止するように前記絵柄表示手段を表示制御する第１表示制御手段と、
前記抽選手段の抽選結果が当選の場合に、前記絵柄の全てが変動表示を終了したことを契機として前記特別遊技状態を発生させる特別遊技状態発生手段とを備えた遊技機において、
前記絵柄の全てが停止する前までに前記絵柄表示手段上で満足することが可能な指定条件を教示する指定条件教示手段と、
前記抽選手段の抽選結果が当選の場合には前記複数の絵柄の変動表示を開始させると共に前記指定条件を満足するように、且つ前記抽選手段の抽選結果が非当選の場合には前記複数の絵柄の変動表示を開始させると共に前記指定条件を満足しないように前記絵柄表示手段を表示制御する第２表示制御手段と、
前記各表示制御手段のうち、前記絵柄表示手段を表示制御する表示制御手段を選択する表示制御選択手段と
を備え、
前記第２表示制御手段は、前記非特定絵柄の組合せで停止するように前記絵柄表示手段を表示制御することを特徴とする遊技機。
【請求項４】
前記第２表示制御手段は、前記指定条件の成立可否を教示した直後に、前記絵柄の変動表示を終了させるべく停止処理を開始することを特徴とする請求項１乃至３のいずれかに記載の遊技機。
【請求項５】
前記指定条件教示手段は、前記指定条件を前記絵柄表示手段上にて教示することを特徴とする請求項１乃至４のいずれかに記載の遊技機。
【手続補正書】
【提出日】平成19年1月18日(2007.1.18)
【手続補正１】
【補正対象書類名】明細書
【補正対象項目名】０００４
【補正方法】変更
【補正の内容】
【０００４】
【特許文献１】特表２００３−５０１１４９号公報
【手続補正２】
【補正対象書類名】明細書
【補正対象項目名】０００５
【補正方法】変更
【補正の内容】
【０００５】
しかしながら、上記従来構成は、殺菌ガス供給時にチャンバ内の湿度調整（例えば、除湿）が一切行われていないため、高濃度の凝縮液層が安定して形成され難いという問題があった。この問題を解決する構成としては、特表２００１−５１８８１６号公報に開示された構成を適用したものが提案され得る。このようにして提案された構成は、除湿機を具備する除湿用の回路をチャンバに接続し、チャンバ内へ殺菌ガスを供給しながら、該チャンバ内の室内ガス（殺菌ガスを含む）を前記回路に導き、その室内ガスを除湿機を介して除湿してから再びチャンバ内に排出するものである。すなわち、室内ガスを除湿用の回路とチャンバとの間で循環させる構成である。これにより、殺菌ガス供給時に、チャンバ内の湿度を調整することは可能となる。
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
生体内組織膜を貫通する傷穴を閉じる生体内組織閉鎖装置であって、
先端部が前記傷穴を貫通可能な長尺状の本体部と、
前記本体部の先端部に着脱可能に装着され、該本体部の先端部とともに前記傷穴を貫通可能であり、前記傷穴を閉じる閉鎖手段とを備え、
前記閉鎖手段は、前記本体部の先端部に装着された際、ガイドワイヤーが挿通する少なくとも１つの孔を有することを特徴とする生体内組織閉鎖装置。
【請求項２】
生体内組織膜を貫通する傷穴を閉じる生体内組織閉鎖装置であって、
先端部が前記傷穴を貫通可能な長尺状の本体部と、
前記本体部の先端部に着脱可能に装着され、該本体部の先端部とともに前記傷穴を貫通可能であり、前記傷穴を閉じる閉鎖手段と、
ガイドワイヤーとを備え、
前記閉鎖手段は、前記本体部の先端部に装着された際、前記ガイドワイヤーが挿通する少なくとも１つの孔を有することを特徴とする生体内組織閉鎖装置。
【請求項３】
前記ガイドワイヤーは、前記本体部の先端部よりも先端側へ延在し、前記ガイドワイヤーの基端側は、前記本体部に固定されている請求項２に記載の生体内組織閉鎖装置。
【請求項４】
前記ガイドワイヤーにより、前記閉鎖手段の所定部位の姿勢が規制される請求項２または３に記載の生体内組織閉鎖装置。
【請求項５】
前記閉鎖手段は、前記生体内組織膜の一方の面側から前記傷穴および前記傷穴の周辺部を覆うシール部と、
前記生体内組織膜に対して前記シール部を固定する固定手段とを有する請求項１ないし４のいずれかに記載の生体内組織閉鎖装置。
【請求項６】
前記閉鎖手段は、前記生体内組織膜の一方の面側から前記傷穴および前記傷穴の周辺部を覆うシール部と、
前記生体内組織膜の他方の面側から前記シール部とで前記生体内組織膜を挟むことにより、前記生体内組織膜に対して前記シール部を固定する固定手段とを有する請求項１ないし４のいずれかに記載の生体内組織閉鎖装置。
【請求項７】
前記固定手段は、弾性変形可能である請求項５または６に記載の生体内組織閉鎖装置。
【請求項８】
前記固定手段は、弾性変形した状態で前記本体部の先端部に装着され、該先端部から離脱することにより、自己の弾性力によって復元する請求項７に記載の生体内組織閉鎖装置。
【請求項９】
前記固定手段は、前記シール部に対し、揺動可能に設けられている請求項５ないし８のいずれかに記載の生体内組織閉鎖装置。
【請求項１０】
前記孔は、前記シール部および前記固定手段にそれぞれ設けられている請求項５ないし９のいずれかに記載の生体内組織閉鎖装置。
【請求項１１】
変形手段を有し、
前記閉鎖手段は、前記生体内組織膜の一方の面側から前記傷穴および前記傷穴の周辺部を覆うシール部と、
前記傷穴を通過可能な第１の形態に変形可能であるとともに、前記変形手段により、前記生体内組織膜の他方の面側から前記シール部とで前記生体内組織膜を挟むことが可能な第２の形態に変形可能である変形部と、
前記変形部を前記第２の形態に保持する固定部とを有する請求項１ないし４のいずれかに記載の生体内組織閉鎖装置。
【請求項１２】
前記変形部は、枠状をなしている請求項１１に記載の生体内組織閉鎖装置。
【請求項１３】
前記シール部、前記変形部および前記固定部が一体的に形成されている請求項１１または１２に記載の生体内組織閉鎖装置。
【請求項１４】
前記変形部は、前記固定部の少なくとも一部を挿入可能な開口部を有する請求項１１ないし１３のいずれかに記載の生体内組織閉鎖装置。
【請求項１５】
前記変形部は、４つのリンクを一体的に形成してなる四角形をなし、該四角形の対角位置にある２つの角部同士が接近、離間するように変形するものである請求項１１ないし１４のいずれかに記載の生体内組織閉鎖装置。
【請求項１６】
前記閉鎖手段を牽引する牽引手段を有し、該牽引手段により前記閉鎖手段を牽引しつつ、前記変形手段により前記変形部を前記第２の形態に変形させる請求項１１ないし１５のいずれかに記載の生体内組織閉鎖装置。
【請求項１７】
前記孔は、前記シール部に設けられている請求項５ないし９、１１ないし１６のいずれかに記載の生体内組織閉鎖装置。
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
靴底の少なくとも一部をメッシュ構造とした、靴。
【請求項２】
前記メッシュは金属で構成されている、請求項１に記載の靴。
【請求項３】
前記靴は、足の甲を覆う部分を含む、請求項１または２に記載の靴。
【請求項４】
前記靴底の上には所定の厚さを有し、立体構造を有するメッシュ層が設けられる、請求項１から３のいずれかに記載の靴。
【請求項５】
前記メッシュ層の上には中敷きが載置される、請求項１から４のいずれかに記載の靴。
【請求項６】
前記中敷きは、中央に凸状に膨らんで湾曲している、請求項５に記載の靴。
【請求項７】
前記メッシュは、回りを凸部で覆われた凹部に設けられる、請求項１から６のいずれかに記載の靴。
【請求項８】
前記メッシュで構成される通気部の寸法は、足の指のうち、親指以外の指が載置される位置および土踏まずの部分は比較的大きく、足の親指の位置や靴の先端部、および土踏まずの反対側の部分は小さい、請求項１から７のいずれかに記載の靴。
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
放射線撮影された画像中の照射野領域を抽出する画像処理装置であって、
前記画像内の照射野候補領域を抽出する第一の照射野認識手段と、
前記第一の照射野認識手段によって抽出された照射野候補領域の形状に関する特徴量を算出し、該特徴量に基づいて該照射野候補領域の形状を判別する形状解析手段と、
前記形状解析手段によって判別された形状に関する情報に基づいて、照射野認識を行う第二の照射野認識手段とを備え、
前記形状解析手段は、前記第一の照射野認識手段によって抽出された照射野候補領域の形状に関する特徴量として、方形度及び円形度の少なくともどちらか一方を算出する
ことを特徴とする画像処理装置。
【請求項２】
前記第一の照射野認識手段は、照射野の端部に位置すると考えられる複数の照射野端候補点を抽出し、前記複数の照射野端候補点で囲まれる領域を照射野候補領域として抽出する
ことを特徴とする請求項１に記載の画像処理装置。
【請求項３】
前記第二の照射野認識手段は、前記形状に関する情報に基づいて、照射野の認識方法を変更する
ことを特徴とする請求項１に記載の画像処理装置。
【請求項４】
前記第二の照射野認識手段は、前記形状に関する情報が円形を示す場合には、円形用の照射野認識を実行し、また、矩形を示す場合には、矩形用の照射野認識を実行する
ことを特徴とする請求項１に記載の画像処理装置。
【請求項５】
前記第二の照射野認識手段は、
照射野の端部に位置すると考えられる複数の照射野端候補点を抽出し、前記形状に関する情報が円形を示す場合には、前記複数の照射野端候補点に曲線をあてはめることによって、前記照射野領域を決定する
ことを特徴とする請求項３に記載の画像処理装置。
【請求項６】
前記第二の照射野認識手段は、
照射野の端部に位置すると考えられる複数の照射野端候補点を抽出し、前記形状に関する情報が矩形を示す場合には、前記複数の照射野端候補点に直線をあてはめることによって、前記照射野領域を決定する
ことを特徴とする請求項３に記載の画像処理装置。
【請求項７】
放射線撮影された画像中の照射野領域を抽出する画像処理装置の制御方法であって、
前記画像内の照射野候補領域を抽出する第一の照射野認識工程と、
前記第一の照射野認識工程によって抽出された照射野候補領域の形状に関する特徴量を算出し、該特徴量に基づいて該照射野候補領域の形状を判別する形状解析工程と、
前記形状解析工程によって判別された形状に関する情報に基づいて、照射野認識を行う第二の照射野認識工程とを備え、
前記形状解析工程において、前記第一の照射野認識工程において抽出された照射野候補領域の形状に関する特徴量として、方形度及び円形度の少なくともどちらか一方を算出する
ことを特徴とする画像処理装置の制御方法。
【請求項８】
放射線撮影された画像中の照射野領域を抽出する画像処理装置の制御をコンピュータに実行させるためのプログラムであって、
前記画像内の照射野候補領域を抽出する第一の照射野認識工程と、
前記第一の照射野認識工程によって抽出された照射野候補領域の形状に関する特徴量を算出し、該特徴量に基づいて該照射野候補領域の形状を判別する形状解析工程と、
前記形状解析工程によって判別された形状に関する情報に基づいて、照射野認識を行う第二の照射野認識工程とを備え、
前記形状解析工程において、前記第一の照射野認識工程において抽出された照射野候補領域の形状に関する特徴量として、方形度及び円形度の少なくともどちらか一方を算出する
ことをコンピュータに実行させることを特徴とするプログラム。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】変更
【補正の内容】
【００１７】
上記の目的を達成するための本発明による画像処理装置は以下の構成を備える。即ち、  放射線撮影された画像中の照射野領域を抽出する画像処理装置であって、
前記画像内の照射野候補領域を抽出する第一の照射野認識手段と、
前記第一の照射野認識手段によって抽出された照射野候補領域の形状に関する特徴量を算出し、該特徴量に基づいて該照射野候補領域の形状を判別する形状解析手段と、
前記形状解析手段によって判別された形状に関する情報に基づいて、照射野認識を行う第二の照射野認識手段とを備え、
前記形状解析手段は、前記第一の照射野認識手段によって抽出された照射野候補領域の形状に関する特徴量として、方形度及び円形度の少なくともどちらか一方を算出する。
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
内視鏡挿入部の湾曲部からそれぞれ延出し、上記湾曲部を少なくとも２つの方向に湾曲操作する一対の操作ワイヤと、
上記一対の操作ワイヤが巻き付けられたプーリを有するプーリユニットと、
上記一対の操作ワイヤの基端部にそれぞれ設けられた口金部と、
上記プーリユニットに回動自在に保持された、係止部と、を備え、
上記プーリユニットの係止部に上記各口金部をそれぞれ係脱自在に保持することにより、上記一対の操作ワイヤをそれぞれ牽引弛緩して上記湾曲部を湾曲操作することを特徴とする内視鏡装置。
【請求項２】
上記係止部に、上記操作ワイヤが挿通される挿通路が形成されていることを特徴とする請求項１に記載の内視鏡装置。
【請求項３】
上記口金部には、上記操作ワイヤのテンションを調整するための調整ねじ部をさらに有していることを特徴とする請求項１又は２に記載の内視鏡装置。
【請求項４】
上記プーリユニットは、上記プーリに巻き付けられた上記一対の操作ワイヤの上記各口金部を、１つの上記係止部により係脱自在にそれぞれ保持することを特徴とする請求項１に記載の内視鏡装置。
【請求項５】
上記プーリユニットは、上記プーリに巻き付けられた上記一対の操作ワイヤの上記各口金部を、一対の上記係止部により係脱自在にそれぞれ保持することを特徴とする請求項１に記載の内視鏡装置。
【手続補正２】
【補正対象書類名】明細書
【補正対象項目名】０００８
【補正方法】変更
【補正の内容】
【０００８】
上記目的を達成するために本発明による内視鏡装置は、内視鏡挿入部の湾曲部からそれぞれ延出し、上記湾曲部を少なくとも２つの方向に湾曲操作する一対の操作ワイヤと、上記一対の操作ワイヤが巻き付けられたプーリを有するプーリユニットと、上記一対の操作ワイヤの基端部にそれぞれ設けられた口金部と、上記プーリユニットに回動自在に保持された、係止部と、を備え、上記プーリユニットの係止部に上記各口金部をそれぞれ係脱自在に保持することにより、上記一対の操作ワイヤをそれぞれ牽引弛緩して上記湾曲部を湾曲操作することを特徴とする。
【手続補正３】
【補正対象書類名】明細書
【補正対象項目名】００９８
【補正方法】変更
【補正の内容】
【００９８】
また、一対の湾曲操作ワイヤを、プーリユニットの円板部材に回動自在に配設された一対の係止部材の挿通路に挿通させ、一対の湾曲操作ワイヤの係止口金を、一対の係止部材の係止面において係止するようにした。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
挿入部の先端部に着脱可能に設けられている先端部材が電気機器を備えている内視鏡装置であって、
前記先端部材に設けた第１の電極と、前記先端部材を着脱する相手方の部材に設けた第２の電極との間で、
異方導電性の弾性部材を前記第１或いは前記第２の少なくとも一方の電極側に配設したことを特徴とする内視鏡装置。
【請求項２】
前記弾性部材は、
絶縁部材に導電部材がドット状に配置されていることを特徴とする請求項１に記載の内視鏡装置。
【請求項３】
前記弾性部材は、
絶縁部材に導電部材がストライプ状に配置されていることを特徴とする請求項１に記載の内視鏡装置。
【請求項４】
前記弾性部材は、
シート状であることを特徴とする請求項１から３のいずれかに記載の内視鏡装置。
【請求項５】
前記第１の電極は、
樹脂基板の電極パターンで構成されることを特徴とする請求項１から４のいずれかに記載の内視鏡装置。
【請求項６】
前記電極パターンを円弧状に形成したことを特徴とする請求項５に記載の内視鏡装置。
【請求項７】
前記第２の電極は、
柱状とした導電部材の外周部が絶縁部材で覆われていることを特徴とする請求項１から６のいずれかに記載の内視鏡装置。
【請求項８】
前記弾性部材をドーナツ形状としたことを特徴とする請求項１から７のいずれかに記載の内視鏡装置。
【請求項９】
前記電気機器を備えた先端部分が前記先端部材から着脱可能な別体部品であることを特徴とする請求項１から８のいずれかに記載の内視鏡装置。
【請求項１０】
前記先端部分側の第３の電極と、前記先端部材側の第４の電極とを備え、前記第３の電極と前記第４の電極との間に異方導電性の弾性部材を配設したことを特徴とする請求項９に記載の内視鏡装置。
【請求項１１】
前記弾性部材にさらに弾性を加える弾性体をさらに配置したことを特徴とする請求項１に記載の内視鏡装置。
【手続補正２】
【補正対象書類名】明細書
【補正対象項目名】０００６
【補正方法】変更
【補正の内容】
【０００６】
本発明の内視鏡装置は、挿入部の先端部に着脱可能に設けられている先端部材が電気機器を備えている内視鏡装置であって、前記先端部材に設けた第１の電極と、前記先端部材を着脱する相手方の部材に設けた第２の電極との間で、異方導電性の弾性部材を前記第１或いは前記第２の少なくとも一方の電極側に配設したことを特徴とするものである。
【手続補正３】
【補正対象書類名】明細書
【補正対象項目名】０００７
【補正方法】変更
【補正の内容】
【０００７】
このような内視鏡装置によれば、アダプタ等の先端部材に設けた第１の電極と、先端部材を着脱する相手方の部材（たとえば挿入部の先端）に設けた第２の電極との間の少なくとも一方に、異方導電性の弾性部材を配設したので、第１の電極と第２の電極との間で異方導電性の弾性部材を圧縮するように挟持し、両電極間を電気的に接続して確実な導通状態を得ることができる。すなわち、挿入部の先端部に先端部材が取り付けられると、第１及び第２の電極が異方導電性の弾性部材を両側から圧縮するように密着するので、同弾性部材の特性により厚み方向のみが導通状態とされる。
【手続補正４】
【補正対象書類名】明細書
【補正対象項目名】０００９
【補正方法】変更
【補正の内容】
【０００９】
また、上記の内視鏡装置において、前記第１の電極は、樹脂基板の電極パターンで構成されることが好ましく、この場合、前記電極パターンを円弧状に形成することにより、多少の位置ずれにも対応できるようにするとよい。
【手続補正５】
【補正対象書類名】明細書
【補正対象項目名】００１１
【補正方法】変更
【補正の内容】
【００１１】
また、上記の内視鏡装置においては、前記電気機器を備えた先端部分が前記先端部材から着脱可能な別体部品であることが好ましく、これにより、電気機器を備えた先端部分の共用化が可能となる。
この場合、前記先端部分側の第３の電極と、前記先端部材側の第４の電極とを備え、前記第３の電極と前記第４の電極との間に異方導電性の弾性部材を配設することにより、第３の電極と第４の電極との間に異方導電性の弾性部材を圧縮するように挟持し、両電極間を電気的に接続して確実な導通状態を得ることができる。
また、上記の内視鏡装置においては、前記弾性部材にさらに弾性を加える弾性体をさらに配置してあることが好ましく、これにより、より第１及び第２の電極の少なくとも一方が異方導電性の弾性部材を圧縮するように密着することができる。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
挿入部に電気機器を備え、該電気機器と主電源との間で、前記電気機器に着脱可能な電源供給回路が主電源と接続されている内視鏡装置であって、
前記電源供給回路が、前記主電源との装着或いは離脱の少なくとも一方の操作時に前記電気機器への通電を制御するスイッチング機能を備えていることを特徴とする内視鏡装置。
【請求項２】
照明用の発光ダイオードを備え、該発光ダイオードと主電源との間で、前記発光ダイオードに着脱可能な電源供給回路が主電源と接続されている内視鏡装置であって、
前記電源供給回路が、前記主電源との装着或いは離脱の少なくとも一方の操作時に前記発光ダイオードへの通電を制御するスイッチング機能を備えていることを特徴とする内視鏡装置。
【請求項３】
前記電源供給回路は、
着脱部に設けられ時間差をもって接触或いは離脱する第１及び第２の電極を具備していることを特徴とする請求項１又は２記載の内視鏡装置。
【請求項４】
前記電源供給回路は、
さらに、前記主電源のＯＮ／ＯＦＦ操作を行うスイッチング回路を具備し、
前記スイッチング回路は、
前記第１及び第２の電極のうち、
装着操作時に遅れて接触、或いは離脱操作時に先に離脱する少なくとも一方の電極に接続されることを特徴とする請求項３に記載の内視鏡装置。
【請求項５】
前記第１及び第２の電極のうち、
装着操作時に遅れて接触する電極が前記主電源に接続され、
装着操作時に先に接触する電極が予備電源に接続される、
或いは、
離脱操作時に先に離脱する電極が前記主電源に接続され、
離脱操作時に遅れて離脱する電極が予備電源に接続されることを特徴とする請求項３に記載の内視鏡装置。
【請求項６】
前記第１及び第２の電極のうち、
装着操作時に遅れて接触、或いは離脱操作時に先に離脱する少なくとも一方の電極に、電気抵抗を備えている電気回路が接続されることを特徴とする請求項３に記載の内視鏡装置。
【請求項７】
前記電源供給回路は、
通電開始を遅らせるスイッチング素子からなることを特徴とする請求項１又は２に記載の内視鏡装置。
【手続補正２】
【補正対象書類名】明細書
【補正対象項目名】０００６
【補正方法】変更
【補正の内容】
【０００６】
本発明の内視鏡装置は、挿入部に電気機器を備え、該電気機器と主電源との間で、前記電気機器に着脱可能な電源供給回路が主電源と接続されている内視鏡装置であって、前記電源供給回路が、前記主電源との装着或いは離脱の少なくとも一方の操作時に前記電気機器への通電を制御するスイッチング機能を備えていることを特徴とするものである。
【手続補正書】
【提出日】平成19年1月22日(2007.1.22)
【手続補正１】
【補正対象書類名】明細書
【補正対象項目名】００２４
【補正方法】変更
【補正の内容】
【００２４】
図４に示すように、内側扁平筒状体１０Ａは、剤塗布シート３ａ及び剤不透過シート４’が互いに重なり合った状態で、その周囲部分がヒートシールで接合されることにより、この内部に充填された毛髪処理剤６が漏出しないようにこれを密閉した袋状に形成されている。
内側扁平筒状体１０Ａの内部には、毛髪挿入具１３が挿通されている。この毛髪挿入具１３は、案内棒１３ａの先端に、毛髪束９を束ねるリングバンド１３ｂが取り付けられて構成されている。
【手続補正２】
【補正対象書類名】明細書
【補正対象項目名】００２５
【補正方法】変更
【補正の内容】
【００２５】
ここで、内側扁平筒状体１０Ａのヒートシールがされた領域について詳述すると、このヒートシール領域は、毛髪挿入具１３の形状に応じて複数に分割されており、案内棒１３ａの大部分を毛髪処理剤６と共に密閉する第１シール領域１５と、リングバンド１３ｂのみを密閉する第２シール領域１６と、案内棒１３ａの後端部分のみを密閉する第３シール領域１７とからなる。
【手続補正３】
【補正対象書類名】明細書
【補正対象項目名】００２８
【補正方法】変更
【補正の内容】
【００２８】
第３シール領域１７においては、毛髪挿入具１３を取り出す際、案内棒１３ａの後端部分を容易に露出させる観点から、少なくともこの領域に含まれる樹脂フィルム３ａ，４’は、通常の操作で切離可能な材料からなっている。
【手続補正４】
【補正対象書類名】明細書
【補正対象項目名】００３５
【補正方法】変更
【補正の内容】
【００３５】
本発明は、上記第１、第２実施形態に限られることなく、種々の変更等を行うことができる。
毛髪処理剤の流動性をより効果的に抑える点では、上記第１実施形態のように、毛髪処理剤は剤保持層によって保持されることが好ましいが、粘度の数値規定による高粘性の毛髪処理剤を、単独で不透過性のシートに塗布してもよい。
【手続補正書】
【提出日】平成19年1月22日(2007.1.22)
【手続補正１】
【補正対象書類名】特許請求の範囲
【補正対象項目名】請求項６
【補正方法】変更
【補正の内容】
【請求項６】
毛髪束を所定の形状に保持するように構成された、一又は二以上の毛髪保持シートを用意し、少なくとも一つの該毛髪保持シートを、テーバー硬さが０．２ｍＮ・ｍ以上且つ保水性が０．０３ｇ／ｃｍ2以上のシートにしており、毛髪処理を行う前に、該毛髪保持シートに毛髪処理剤を含浸して該毛髪保持シートを剤含浸シートにする毛髪処理方法。
【手続補正２】
【補正対象書類名】明細書
【補正対象項目名】０００７
【補正方法】変更
【補正の内容】
【０００７】
発明者等は、毛髪保持シートに毛髪処理剤が一体化され、静置状態において該毛髪処理剤が外部に漏れ出さないように構成したシート、特にテーバー硬さ及び保水性の数値を規定したシートに、予め、毛髪処理剤を含浸させておき、このシートを毛髪保持シートとすれば、毛髪保持シートを巻き上げた際これに負荷がかかっても、毛髪処理剤の漏出を防止して、十分な量の毛髪処理剤を毛髪束に供給することが可能になることを知見した。
【手続補正３】
【補正対象書類名】明細書
【補正対象項目名】００２３
【補正方法】変更
【補正の内容】
【００２３】
本実施形態の毛髪保持具１の使用態様を説明する。
まず、毛髪束を、扁平筒状体１Ａの空隙部１２に挿通する。この際、毛髪挿入具（図示しない）を用いて、毛髪束をその空隙部１２に導入してもよい。
次いで、毛髪束を、剤含浸シート３ａ上の表面に晒した後、扁平筒状体１Ａを毛髪束と共に巻き上げる。この場合、剤含浸シート３ａに負荷が加えられ、剤含浸シート３ａから滲出した毛髪処理剤が毛髪に浸漬する。
このような一連の処理を、毛髪の全体又は所定範囲に対して行う。この状態で所定時間（例えば約１５分間）放置し、毛髪処理剤を毛髪束に均一に浸す。
その後、軽くすすいだ後、所定時間（例えば約１５分間）放置してから、すべての毛髪保持具１を取り外し、毛髪を完全にすすぐ。
【手続補正４】
【補正対象書類名】明細書
【補正対象項目名】００３０
【補正方法】変更
【補正の内容】
【００３０】
本発明は、上記第１〜第３実施形態に限られることなく、種々の変更等を行うことができる。
上記第１〜第３実施形態で用いた、テーバー硬さ及び保水性の数値を規定した不織布に、予め、毛髪処理剤を含浸させておくのではなく、毛髪処理を行う前に、この不織布に毛髪処理剤を含浸（ドブ漬け）して、これを上記第１〜第３実施形態の剤含浸シートにしてもよい。この場合、保持具の材質に耐薬品性という制限が無くなる、毛髪処理剤の蒸発を防止できる等の利点がある。
【手続補正５】
【補正対象書類名】明細書
【補正対象項目名】００３２
【補正方法】変更
【補正の内容】
【００３２】
【図１】（ａ）は、第１実施形態の毛髪保持具の概略構成を示す斜視図、（ｂ）は、（ａ）のＡ−Ａ切断線に沿った平面図である。
【図２】第２実施形態の毛髪保持具の概略構成を示す断面図である。
【図３】第３実施形態の毛髪保持具の概略構成を示す断面図である。